Podtech/llm-jp-corpus-v4-ja_patent huggingface dataset:
(57)【要約】      （修正有）【課題】ティッシュボックスに、使用後小物入れとして利用できるような改良を施すことである。【解決手段】ティッシュボックス上面のティッシュ取り出し口において、その中央部を、手が挿入できるように広げた形でミシン目（１）を入れて切り取り部（２）を形成し、この切り取り部を切り取って中のティッシュペーパーを使用した後、このように取り出し口から手を挿入しやすくしたことで、用途の広い小物入れとして利用できる。【選択図】図１
0003116992.tif 000002
【実用新案登録請求の範囲】
【請求項１】
ティッシュボックス上面のティッシュペーパー取り出し口において、その中央部を、手が挿入できるように広げた形でミシン目を入れて切り取り部を形成し、この切り取り部を切り取って中のティッシュペーパーを使用した後、小物入れとして利用できることを特徴とする、ティッシュボックス。
【考案の詳細な説明】
【技術分野】
【０００１】  本考案は、使用後のティッシュボックスの有効利用を意図した改良に関するものである。
【背景技術】
【０００２】  従来、使用後のティッシュボックスはほとんどが利用されることなく、廃棄されていた。
【考案の開示】
【考案が解決しようとする課題】
【０００３】  現在出回っているボックス型ティッシュペーパーは使い捨てを前提としたものであり、資源問題やごみ問題は加速される一方であって環境上好ましくない。本考案は、ティッシュボックスに、使用後小物入れとして利用できるような改良を施すことにより、これらの問題に取り組むものである。
【課題を解決するための手段】
【０００４】  本考案は、ティッシュボックス上面のティッシュ取り出し口において、その中央部を、手が挿入できるように広げた形でミシン目（１）を入れて切り取り部（２）を形成し、この切り取り部を切り取って中のティッシュペーパーを使用した後、小物入れとして利用できるティッシュボックスを提供する。
【考案の効果】
【０００５】  前記のように、取り出し口の中央を従来のティッシュボックスよりも大きくし、ボックス内の奥まで手を挿入しやすくしたことで、小さな物品や薄い物品などを収納しても取り出しやすくなり、用途の広い小物入れとして利用できるようになる。また、このティッシュボックスに子供向けまたは大人向けなどの種々のキャラクターまたはデザインなどを印刷して装飾性を高めれば、小物入れとしての利用価値がさらに高まる。さらに、取り出し口から手を挿入しやすくしたことで、ティッシュペーパーの通常の使用において、ティッシュの落ち込み時にも、手を挿入して容易に引き出すことができ、最後の一枚まで使いやすくなる。
【考案を実施するための最良の形態】
【０００６】  以下、本考案の実施形態を添付図面に従って説明する。従来、ティッシュボックスト面の取り出し口の開口部は約４ｃｍ×約２０ｃｍというものであるが、本考案では図１および２で示すように、従来の開口部の中央部を、容易に手を挿入できるように広げた形でミシン目（１）を入れ、切り取り部（２）を形成した。従来通り、ティッシュ使用前にこの切り取り部を切り取り、その下面には、中央部に切れ込みのある柔軟なフィルム（３）が貼ってある。ティッシュを使い終わった後は、その空き箱に様々な物品を収納し、そのまま小物入れとして利用する。
【図面の簡単な説明】
【０００７】
【図１】本考案のティッシュボックスを示す斜視図である。
【図２】本考案のティッシュボックスにおいて切り取り部を切り取った後の上面の状態を示す平面図である。
【符号の説明】
【０００８】１  ミシン目
２  切り取り部
３  フィルム
【図１】
0003116992.tif 000003
【図２】
0003116992.tif 000004
(57)【要約】      （修正有）【課題】海外旅行などでパジャマを持って行かねばならない時にコンパクトでかっこうよく持ち運びが出来るパジャマを提供する。【解決手段】パジャマの上着やズボンに表裏使えるジッパーで開閉する袋状のポケットを取り付けることによってコンパクトにパジャマを収納することが出来、持ち運びが簡単で楽しいパジャマを作ることができる。このパジャマは生産コストもかからず、従来の縫製仕様で簡単に出来る。【選択図】  図１
0003116997.tif 000002
【実用新案登録請求の範囲】
【請求項１】
大人から子供までまた親子で楽しく着ることが出来、旅行などにも持ち運びが便利で簡単に収納ができるポケットが付いた便利な携帯用ポータブルパジャマ。
【考案の詳細な説明】
【技術分野】
【０００１】旅行などに最適で大人から子供までのパジャマで持ち運びが便利でかっこよく簡単に収納できるポケットが付いたポータブルパジャマ。
【背景技術】
【０００２】海外旅行などにいってもホテルには備え付けのパジャマがなく持って行かねばならなかった。
【考案の開示】
【０００３】旅行に持って行かねばならないパジャマをかっこよくコンパクトに収納できるポケットが付き持ち運びが簡単なパジャマが必要である。
【考案が解決しようとする課題】
【０００４】本考案は海外旅行などでパジャマを持って行かねばならないときにコンパクトでかっこよく持ち運びができるパジャマの必要性があると考えた。
【課題を解決するための手段】
【０００５】コンパクトにするにはどうすればよいのか、かっこ良く見せるにはどうしたらよいのか持ち運びが簡単な方法はどうしたらよいかを考えた場合，パジャマに取り付けられたポケット（袋）に収納できれば持ち運びも簡単で固唾ける時も簡単に出来る。
ジッパー付のポケット（袋）をパジャマ本体に備え付けそのポケット（袋）の中にパジャマを収納できようにした。そのポケット位置はパジャマの上着の方でも良いしズボンのほうに取り付けても良い。
【考案の効果】
【０００６】旅行などで持ち運びが便利で簡単に収納出来るように取り付けたポケットにパジャマが収納できればコンパクトでポータブルである。またパジャマと同じプリントやキャラクターのプリントで可愛いポケットにすれば楽しく持ち運びができるパジャマになる。
【考案を実施するための最良の形態】
【０００７】コンパクトでポータブルなパジャマで尚且つ親子で楽しくファッションを楽しむことが出来る。
【実施例】
【０００８】旅行などへ出かける時に持ち運びが簡単で収納が便利だけでなくキャラクターなどで親子が楽しく着ることが出来るパジャマが望まれる。
【産業上の利用可能性】
【０００９】生産においてはコストもかからず縫製仕様も難しくない。大変便利で持ち運びが出来楽しいパジャマである。
【図面の簡単な説明】
【００１０】
【図１】パジャマ全体図
【図２】パジャマを収納した時のコンパクトサイズの図
【符号の説明】
【００１１】▲１▼  パジャマの上着
▲２▼  パジャマのズボン
▲３▼  表裏使えるジッパー
▲４▼  収納するポケット
【図１】
0003116997.tif 000003
【図２】
0003116997.tif 000004
(57)【要約】      （修正有）【課題】２重に紐を結ばなければず頭部と耳にかぶさる事がない。【解決手段】フードの上方と中央に凸に湾曲形状を有する軽く薄い鉄板又はプラスチックを２本取り付け、フードの周縁部には湾曲を有する鉄板又ワイヤーを内包させ、愛犬の頭部に触れないように周縁部のカーブを工夫し両脇にステーを取り付けることで愛犬の頭部にフードが触れず愛犬がストレスを感じることなく楽しく散歩ができる。フードとレインコートの間に設けた襟部には芯を入れ首輪が通るように縫い、首輪を入れレインコートと一体化することで首を２重に結ぶ必要がなくなった。【選択図】図１
0003117000.tif 000002
【実用新案登録請求の範囲】
【請求項１】
襟部には芯を入れ首輪が通るように縫い首輪を通してレインコートと首輪が一体化し着用することを特徴とする犬のフード付きレインコート。
【請求項２】
コートの前部に頭部を覆う為の楕円形フードを突出させフードの周縁部には湾曲に曲がるワイヤー又は鉄板を内包させ、フードの上方と中央に凸となる湾曲形状を有する、薄く軽い鉄板を取り付け、フードの両脇にステーを設置することで愛犬の頭部に触れないように工夫が出来ることを特徴とした請求項１の犬のフード付きレインコート。
【考案の詳細な説明】
【技術分野】
【０００１】  本考案は犬のフード付きレインコートに関するものである。
【背景技術】
【０００２】雨天時の散歩においてフード付きレインコートはあるが実用性がなく、愛犬の頭にかぶせてもただ頭の上に載るだけのものが多く、ひも付きは耳を塞ぐので愛犬には違和感があった又首輪とレインコートが別々のため首を２重に巻きつけることが多かった。
【考案の開示】
【考案が解決しようとする課題】
【０００３】従来の犬のフード付きレインコートはただ頭部にかぶせるものや、紐で頭部を結ぶものがあるが耳を塞ぐのが多くストレスを解消に行く散歩が、かえってストレスを蓄積してしまうという問題があった。レインコートと首輪は別々のものが多く２重に紐を結ばなければならなかった。
【課題を解決するための手段】
【０００４】フードの上方と中央に凸に湾曲形状を有する軽く薄い鉄板又はプラスチックを２本取り付け、フードの周縁部には湾曲を有する鉄板又ワイヤーを内包させ、愛犬の頭部に触れないように周縁部のカーブを工夫し両脇にステーを取り付けることで愛犬の頭部にフードが触れず愛犬がストレスを感じることなく楽しく散歩ができる。フードとレインコートの間に設けた襟部には芯を入れ首輪が通るように縫い、首輪を入れレインコートと一体化することで首を２重に結ぶ必要がなくなった。
【考案の効果】
【０００５】フード付きレインコートの襟部に首輪を入れることで２重に結わく必要がなく又フードの周縁部に鉄板、ワイヤーを入れステーを設置することで愛犬の頭部、耳にかぶさることなく快適に散歩が楽しめる。
【考案を実施するための最良の形態】
【０００６】以下、図面を参照しながら実施の形態について説明する。
コートの前部に頭部を覆う為の楕円形フードを突出させ、愛犬のフード部の５周縁部に湾曲を有する鉄板又はワイヤーを内包させカーブをつけ、両脇は７ステーを設置することで愛犬の頭部に触れないように調整できる。【０００７】フード部の４ａ上方４ｂ中部に湾曲を有する鉄板又はプラスチックを取り付けることで外に膨らみを出す。【０００８】６襟部の中には芯を入れることでフードが固定される。６襟部の間を首輪が通るように縫い首輪を通してフード付きレインコートと首輪を一体化して首輪を結ぶ。【０００９】コート部の背中部の中心にベルトを通す１０ベルト通しを設け、バックルを備えたベルトを通し、胴部覆い部の前身ごろ縁部に幅３ｃｍ位の１２ゴムを左右に縫い付け、胴部をベルトとゴムの２重に固定することでフード部もしっかり固定される。【００１０】フード付きレインコートは布地を撥水性、防水性のものを使用する。
【図面の簡単な説明】
【００１１】
【図１】使用状態の斜視図
【図２】頭部の詳細図
【図３】頭部裏側の詳細図
【図４】レインコートの展開図
【符号の説明】
【００１２】  １．    レインコート本体
２．    フード部
３．    ベルト
４ａ．  フードの骨部
４ｂ．  フードの骨部
５．    フードの周辺部
６．    襟部
７．    ステー
８．    ベルト
９．    バックル
１０．  ベルト通し
１１．  首輪
１２．  ゴム
【図１】
0003117000.tif 000003
【図２】
0003117000.tif 000004
【図３】
0003117000.tif 000005
【図４】
0003117000.tif 000006
【手続補正書】
【提出日】平成17年9月6日(2005.9.6)
【手続補正３】
【補正対象書類名】明細書
【補正対象項目名】０００９
【補正方法】変更
【補正の内容】
【０００９】コートの背中部の中心にベルトを通す１０ベルト通しを設け、バックルを備えたベルトを通し、胸部覆い部の前身ごろ縁部幅３センチ位の１２ゴムを左右に縫い付け、胴部は８ベルト、胸部は１２ゴムで固定することでコートがしっかり固定される。
【手続補正４】
【補正対象書類名】図面
【補正対象項目名】図１
【補正方法】変更
【補正の内容】
【図１】
0003117000.tif 000007
【手続補正５】
【補正対象書類名】図面
【補正対象項目名】図４
【補正方法】変更
【補正の内容】
【図４】
0003117000.tif 000008
(57)【要約】      （修正有）【課題】ハンガー付衣類カバーに本体に上着を安全に収納しかばんに取り付け、手軽に上着の持ち運びを可能として、持ち運びのわずらわしさと衣類の汗染み等の汚れを防ぐ。【解決手段】ハンガー本体１ａ及び１ｂを蝶番を設置することで上着を縦半分に折りたたむことが出来、衣類カバー本体３に設けた４乃至６により衣類を脱落せず安全にコンパクトに固定できる。また、ベルトに取り付けられたフック紐８ａ及び８ｂに取り付けられたフックにより、通勤かばん等に簡単に取り付けられ、上着を腕に掛けたり手に持ったりすることのわずらわしさから開放され、且つ、汗染み等の汚れの付着から衣類を防ぐ事にも役立つ。【選択図】図２
0003116999.tif 000002
【実用新案登録請求の範囲】
【請求項１】
折りたたみ自在なハンガー付衣類カバーに衣類脱落防止用のベルトを設け、当該ベルトにヒモ付フックを設け、当該フックをかばん取っ手等に係脱自在とした所を特徴とするハンガー付携行用衣類カバー
【考案の詳細な説明】
【技術分野】
【０００１】  本考案は、ハンガーと一体になっている衣類カバーにベルトと紐付フックを設けた、カバーに関するものである。
【背景技術】
【０００２】  湿度や気温の高い季節には、通勤や仕事先等への外出時の際、ハンガーから外した上着を着用せずに持ち歩いて移動していた。
【考案の開示】
【考案が解決しようとする課題】
【０００３】  梅雨や夏季における上着の着用は、一層の蒸し暑さや発汗を促し、不快感を与えるばかりでなく、不快感を解消する為に上着を腕に掛けたり持ったりすることが多い。その結果、上着が荷物化してしまうわずらわしさや、肌に直接触れることで汗染みを作ってしまうこともあり、精神的苦痛を与えてしまう。従って、上着を直接手に触れることなく外出でき、移動後も衣類カバー内のハンガーに掛けて何処にでも吊るせる機能を併せ持つことで、荷物化してしまう不自由さから開放することが可能となり、前述の欠点を解決しようとするものである。
【課題を解決するための手段】
【０００４】  本考案は、ハンガーにジョイント部分を設けることで二つ折りが可能となり、しかも、衣類カバーの裾部分にベルトを設けることで、コンパクトに丸め固定することが出来る。また、衣類カバーのベルトにフック付紐を取り付けることで、当該衣類カバーを通勤かばん等へ簡単に着脱可能となることから、手荷物感と汚れの付着から開放される。その上ハンガーとしての機能が一体化しているため、かばん等からはずした後吊るせることが出来問題点を解決している。
【考案の効果】
【０００５】  前述のように、本考案のハンガー付携行衣類カバーは、衣類カバー付のハンガーとして使用できることは勿論、ハンガーにジョイント部分を設けたことで上着を掛けたまま半分に折りたたみ、衣類カバーをまるめ裾部分にあるベルトでコンパクトに固定することが可能となり、しかも、衣類カバーの裾に設けたベルトにはフック付紐を取り付けてあるため、当該衣類カバーを通勤かばん等に自在に取り付けられるので、上着を持つときの手荷物感とからの開放と汚れ防止に役立つ。
【考案の実施するための最良の形態】
【０００６】  ハンガー中心部のジョイント部分を折りたたむことで、衣類カバーもそれに伴い折りたたまれる。移動中におけるカバー内の衣類落下防止のため、カバー裾部分は袋状に閉じておき、裾部分の片面半分にフック付紐とボタンホールを設けたベルトを取り付ける。また、ベルトを取り付けた同じ側にボタンを取り付け、丸めた衣類カバーを固定する。ベルト上には着脱自在のフック付紐が設けてあるので、簡単にかばんへの取り付けが可能となる。
【実施例】
【０００７】  以下、添付図面に従って実施例を説明する。１ａ及び１ｂは耐久性強化プラスチックス等適宜素材にて形成されたハンガー、２は１ａ及び１ｂをつなぐ蝶番で、これによってハンガーは半分の大きさ（幅）になる。３は撥水性のある布等適宜素材にて形成された衣類カバー本体で裾部分は縫い合わせてあり、３ａは衣類保護と折りたたんだ時に衣類がきちんと納まるための打ち合わせ部分で、９のマジックテープ（商標登録）は折りたたんだ時に邪魔にならないようカバーを止める位置を横にずらしてある。また、３本体片面中央部にはボタン５を２個取り付け、同面下段裾部分に設けたベルト４には５に対応するボタンホール６と、通勤かばん等に取り付ける為のフック付紐７ａ・８ａ及び７ｂ・８ｂがある。２を利用して縦に折りたたむことで幅は半分になり上部から裾へ向って丸め、６ａ及び６ｂにボタン５ａ及び５ｂを通して固定する。そして、８ａに取り付けた７ａ及び８ｂに取り付けた７ｂを通勤かばん等の取っ手に取り付ける。【０００８】  本考案の一実施例は上述の如き構成からなるものであるから、１ａ及び１ｂは２によってつながれており、２を広げることでハンガー本体となる。また、１０は１ａ及び１ｂに設けられた吊り下げ紐であり、衣服を掛けるハンガーとしても使用できることは勿論だが、１０にＳ字型フック等を利用すれば、洋服ダンスの吊り下げ棒にも係り止め自在となる。【０００９】  本考案実施例の形態から、４は皮製等の適宜素材、８はチェーン等の適宜素材を使用すると見た目にもお洒落感が出てくる。また、重量のかかる４の８ａ及び８ｂ取り付け部分は補強の必要性がある。
【図面の簡単な説明】
【００１０】
【図１】本考案のハンガー付携行衣類カバーの１実施例を示す正面図
【図２】本ハンガー付衣類カバーの全体図
【図３】本ハンガー付衣類カバーの折りたたみ図
【図４】ハンガーの全体図
【符号の説明】
【００１１】  １ａ  ハンガー本体（２分の１本）
１ｂ  ハンガー本体（２分の１本）
２    蝶番
３    衣類カバー
４    ベルト
５    ボタン
６    ボタンホール
７ａ  フック
７ｂ  フック
８ａ  フック紐
８ｂ  フック紐
９    マジックテープ（商標登録）
１０  吊り下げ紐
【図１】
0003116999.tif 000003
【図２】
0003116999.tif 000004
【図３】
0003116999.tif 000005
【図４】
0003116999.tif 000006
(57)【要約】【課題】この考案は姿勢矯正に役立つものであるが下着使用ではなく、日常ウエアにその機能が働くように考案したもので、手軽に着用できることを提供する。【解決手段】ウエア本体の上身頃背部に輪状のものを取り付ける。そこへ肩を後へ引く力の働く帯状部材を通し、たすきの要領で、ウエア前身頃上部に空けた穴から出し、好みの強度でしばるようにする。【選択図】図１
0003126731.tif 000002
【実用新案登録請求の範囲】
【請求項１】
ウエアの上身頃の背部裏面に輪状のものを取り付ける。そこに肩を後へ引く力の働く帯状部材を通せるようにした帯状部材付ウエア。
【請求項２】
ウエア本体の型は肩ひも型、袖無し型、袖有型を応用可能とした帯状部材付ウエア。
【請求項３】
帯状部材が着脱自在な帯状部材付ウエア。
【考案の詳細な説明】
【技術分野】
【０００１】
本考案は、手軽に姿勢矯正がなされるように、肩を後へ引く力の働く帯状部材を取り付けられるようにしたウエアに関するものである。
【背景技術】
【０００２】
背を丸めた姿勢と胸を張った姿勢の両方に対して姿勢矯正を行うことのできる姿勢矯正具は知られている。
【特許文献１】特許公開平１０−１５１１４９
【考案の開示】
【考案が解決しようとする課題】
【０００３】
解決しようとする問題点は、従来のものは下着使用で着脱が容易ではないところにある。本考案は手軽に日常ウエアとして着用でき、肩を後へ引く力の働く帯状部材を取り付けられるようにし、それを着脱自在にしたことで解決する。
【課題を解決するための手段】
【０００４】
ウエア本体の上身頃の背部に輪状のものを取り付ける。そこへ肩を後へ引く力の働く帯状部材を通し、たすきの要領でウエアの前身頃上部にあけた穴から出す。出した帯状部材を好みの強度にしばる、という構成にした。
【考案の効果】
【０００５】
これは姿勢矯正に役立つものであるが、従来のように下着使用ではなく、日常ウエアとして手軽に着用できる。そして、ウエアに取り付ける帯状部材により、肩を後へ引く力が働く。人は肩が後へ引けると、助骨が開く。このことにより筋肉の連動が起こり、腹筋群が働きやすくなり、反腰にならず、良い姿勢ができてくる。また、助骨が開くことにより呼吸が楽になり、より多くの酸素が供給される。これらのことにより、健康状態に関わる良い効果が期待できる。運動中の着用は上記のことから運動効果を上げることにもつながる。
【考案を実施するための最良の形態】
【０００６】
本考案は、１．ウエア本体（図１−１）、２．帯状部材通し輪（図１−２）、３．帯状部材通し穴（図２−３）、４．帯状部材（図１−４）、以上の構成からなる。ウエア本体の応用例として、袖無型（図１、図２）、袖有型（図３、図４）、肩ひも型（図５、図６）と、使用目的に応じて型を変えることが可能である。運動中に着用するときは伸縮性のある素材がよい。本考案物を着用するときは、帯状部材（図１−４）をたすきの要領で、ウエア上身頃背部裏面に取り付けた輪状のもの（図１−２）に通し、ウエア前身頃上部に空けた穴（図２−３）から出す。出した帯状部材を好みの強度にしばる。取り外しはしばったものをほどき、片方から引くと、容易に取り外しができる。
【図面の簡単な説明】
【０００７】
【図１】袖無し型  後身頃裏面を示した説明図
【図２】袖無し型  前身頃前面を示した説明図
【図３】袖有型  着用時背面から見た図
【図４】袖有型  着用時前面から見た図
【図５】肩ひも型  背面を示した説明図
【図６】肩ひも型  前面を示した説明図
【符号の説明】
【０００８】
１  ウエア本体
２  帯状部材通し輪
３  帯状部材通し穴
４  帯状部材
【図１】
0003126731.tif 000003
【図２】
0003126731.tif 000004
【図３】
0003126731.tif 000005
【図４】
0003126731.tif 000006
【図５】
0003126731.tif 000007
【図６】
0003126731.tif 000008
【手続補正書】
【提出日】平成18年9月4日(2006.9.4)
【手続補正１】
【補正対象書類名】実用新案登録請求の範囲
【補正対象項目名】全文
【補正方法】変更
【補正の内容】
【実用新案登録請求の範囲】
【請求項１】
ウエア本体の上身頃の背部に取付けた帯状部材通し輪と、前記帯状部材通し輪を通るたすき状にしばる帯状部材からなることを特徴とする帯状部材付きウェア。
【請求項２】
ウエア本体の上身頃の背部に取付けた帯状部材通し輪と、前記ウェア本体の前身頃上部にあけた帯状部材通し穴と、前記帯状部材通し輪と前記帯状部材通し穴を通り、たすき状にしばる帯状部材からなることを特徴とする請求項１に記載の帯状部材付ウェア。
【請求項３】
上記ウエア本体の型は、肩ひも型、袖無し型、袖有り型のいずれかからなることを特徴とする請求項１又は請求項２に記載の帯状部材付ウェア。
(57)【要約】      （修正有）【課題】現在のロボットなどの稼動部分に使われているモーターに変わるものである。【解決手段】外側の伸縮性のある素材１の中にビニール系素材２でくるんだ、楕円形の永久磁石３を複数個並べ、２のひとつひとつに配線された小さな電磁石４を図３のように固定し、通電された時の電磁石４の磁力を利用し楕円形の永久磁石３を回転させ、外側の素材１を伸縮させる。【選択図】図１
0003126763.tif 000002
【実用新案登録請求の範囲】
【請求項１】
本発明は今までのロボットなどに利用されているモーターの変わりに、電気エネルギーを電磁石４の磁力に利用し楕円形の永久磁石３を回転させることにより外側の素材１を伸縮させる人口筋肉である。
【考案の詳細な説明】
【技術分野】
【０００１】本考案は、ロボットの駆動部分に変わる為の、低電力化や低コスト化に関する。
【背景の技術】
現在のロボットなどの稼動部分にはモーターが使われている。
【考案の開示】
【考案が解決しようとする課題】
【０００２】従来のモーターでは音が発生しギアなど複雑な構造が必要である
【課題を解決するための手段】
【０００３】この発明は筒状の伸縮素材の中に楕円形の永久磁石を複数個並べ、永久磁石ひとつひとつに取付けた電磁石に電気エネルギーを流し楕円形の永久磁石を磁力の反発により回転させ、その形状の変化により外側を伸縮させるものです。外側の筒状の伸縮性のある素材１の中にビニール系素材２でくるんだ、楕円形の永久磁石３を複数個並べ、２のひとつひとつに配線された小さな電磁石４を図３のように固定し、通電された時の電磁石４の磁力を利用し楕円形の永久磁石３を回転させ、外側の素材１を伸縮させるものである。
【考案の効果】
【０００８】音がほとんどなく、構造も簡単で、湾曲することや図６のように中の数を変えることにより開発コストが安く済み、図７や図８のように配線方法や磁力のバランスにより途中で止めることも可能である。
【産業上の利用可能性】
【０００９】ロボット、おもちゃ、ドアなど開閉、義手、義足、医療など稼動部分の幅広い利用が可能である。
【図面の簡単な説明】
【図１】本発明の構造
【図２】本発明の拡大図
【図３】図２の断面図
【図４】通電した状態
【図５】通電した時の拡大図
【図６】中の数を増やした形態
【図７】配線の工夫により部分稼動させている状態
【図８】電圧と磁力のバランスで伸縮率を変えている状態
【図９】楕円形の永久磁石を通常の四角い磁石にし楕円のものに埋め込んだ形態
【符号の説明】
１伸縮素材
２ビニール系素材
３永久磁石
４電磁石
５潤滑油
【図１】
0003126763.tif 000003
【図２】
0003126763.tif 000004
【図３】
0003126763.tif 000005
【図４】
0003126763.tif 000006
【図５】
0003126763.tif 000007
【図６】
0003126763.tif 000008
【図７】
0003126763.tif 000009
【図８】
0003126763.tif 000010
【図９】
0003126763.tif 000011
(57)【要約】【課題】  本考案は、瓦切断機による瓦の切断作業に於いて、従来手で保持して切断位置と角度を決定していたものを、瓦切断機本体に系止できる瓦保持具を提供することにより正確で容易に瓦の切断位置と角度を決定する。【解決手段】  本考案は、瓦切断機本体１の瓦切断機本体下部梁３に瓦保持具２をネジ４を締結して系止する。瓦保持具２は脱着ブロック１１のネジ４を緩めることで、瓦切断機本体下部梁３に沿って左右に移動、瓦８の切断位置９を可変することができる。切断作業時に切断する瓦８を保持板６に載せ、かつ瓦８の端面１０を支柱５の上端５ａに接触させることで瓦８の切断位置９と角度の決定が可能となり、正確かつ迅速な瓦切断作業に役立つ。【選択図】図４
0003126765.tif 000002
【実用新案登録請求の範囲】
【請求項１】
切断する瓦の一端を保持する板と、定められた長さと角度で切断せしめる基準面をもつことを特徴とする、系脱自在の瓦切断機用瓦保持具
【請求項２】
切断する瓦の一端を保持し、かつ定められた長さと角度で切断せしめる定規目盛りをもつことを特徴とする、系脱自在の瓦切断機用瓦保持具
【考案の詳細な説明】
【技術分野】
【０００１】本考案は、瓦切断機本体に取り付けられる、瓦保持具に関するものである。
【背景技術】
【０００２】瓦切断機で瓦を切断する場合、一方の手で瓦切断機のハンドルを操作し、他方の手で瓦を保持して、切断する瓦の切断位置と角度は予め瓦に標していた。
【考案の開示】
【考案が解決しようとする課題】
【０００３】切断する瓦を手で保持するため、切断した瓦の切断位置と角度が不安定で、瓦の重量による腕への負担も大きい。また切断位置と角度を予め瓦に標すための準備作業時間を要する。従って、瓦の長さと角度を容易に決定できる保持具を瓦切断機に設け、前述の欠点を解決しようとするものである。
【課題を解決するための手段】
【０００４】本考案は、従来手で保持していた瓦の一端を載せる保持板を擁する躯体を、ネジで瓦切断機本体下部梁に系止できるようにし、保持板に設けた基準面または定規目盛りに瓦を合わせて切断することにより問題点を解決している。
【考案の効果】
【０００５】本考案の保持板に瓦を載せることで、瓦の重量による腕への負担を軽減し、基準面または定規目盛りに合わせて瓦を切断するために、従来の切断位置、角度を瓦に標す準備作業が削減できる。また瓦の切断位置、角度が一定になることで瓦葺き工事の正確さと作業時間短縮にも役立つ。
【考案を実施するための最良の形態】
【０００６】本考案の保持具は水平に保たれた保持板と、瓦切断機本体下部梁に系止する脱着ブロック、保持板と脱着ブロックを接続する支柱により構成する。
【実施例】
【０００７】以下、添付図面に従って実施例を説明する。１は瓦切断機本体、２は本考案の瓦保持具であり、瓦切断機本体下部梁３にネジ４で系止する。ネジ４を緩めることで瓦保持具２は瓦切断機本体下部梁に沿って図１左右に移動し、瓦８の切断位置９を可変できる。【０００８】支柱５の上端部５ａは瓦切断機本体１に対して９０度に固定されており、上端部５ａに瓦８の端面１０を接触させることで、瓦を９０度で切断することが可能である。また、瓦保持具２を左右逆転させて瓦切断機本体下部梁３に系止すれば、上端部５ｂは瓦切断機本体１に対して４５度に固定されており、上端部５ｂに瓦８の端面１０を接触させることで、瓦８を４５度で切断することが可能である。支柱５に固定された保持板６は、上面に瓦８を載せることで瓦８の重量による腕への負担を無くすことができる。【０００９】図３は請求項２の一実施例であり、支柱５に目盛り板兼用保持板７を固定したものである。目盛り板兼用保持板７の上面に刻まれた、瓦切断機本体１に対して９０度と４５度の目盛り７ａに瓦８の端面１０を合わせることで、容易に同角度での切断を可能にした。図２の実施例は角度を可変させる際に、瓦保持具２を左右逆転させる必要がないものである。【００１０】本考案の実施例は、瓦８を４５度と９０度で切断するものであるが、上端部５ａおよび５ｂ、目盛り板兼用保持板７の目盛りを変更して実施すれば、いかなる角度にも切断が可能である。
【図面の簡単な説明】
【００１１】
【図１】請求項１の瓦切断機用瓦保持具の一実施例を、瓦切断機に系止した図である。
【図２】図１の瓦切断機用瓦保持具の拡大図である。
【図３】請求項２の一実施例である。
【図４】図１の一実施例において、瓦切断時の正面図である。
【符号の説明】
【００１２】  １  瓦切断機本体
２  瓦保持具
３  瓦切断機本体下部梁
４  ネジ
５  支柱
６  保持板
７  目盛り板兼用保持板
８  瓦
９  切断位置
１０  瓦の端面
１１  脱着ブロック
【図１】
0003126765.tif 000003
【図２】
0003126765.tif 000004
【図３】
0003126765.tif 000005
【図４】
0003126765.tif 000006
(57)【要約】【課題】  複数個の真空パックされたフィルムを切断する装置において、作業者が直接カッターに触れることなく安全に効率良く切り分け出来る真空パックフィルム切断装置を提供する。【解決手段】  カッター機構を真空パックフィルムをセットするテーブルの下部に請け、フィルムを固定する押さえ枠を上に配置し、カッターに人が触れることを防止した。また、切断部において、カッターの両側にフィルムを押さえるための弾性体が配置される押さえ枠を請け、フィルムの浮きを防止し確実に切断できることを可能とした。【選択図】図１
0003126762.tif 000002
【実用新案登録請求の範囲】
【請求項１】
複数個一体で真空パックされた商品のフィルムを切り分け時に、真空パックフィルムをセットするテーブルの下部に上下移動するカッターを格子状に配置したカット機構を請け、フィルムを固定する押さえ枠を上部に配置し、切り分けることを容易にした真空パックフィルム切断装置。
【考案の詳細な説明】
【技術分野】
【０００１】  本考案は、真空包装における真空パックフィルムを個別に一度に切り分ける真空パックフィルム切断装置である。
【背景技術】
【０００２】  複数個一体で真空パックされたフィルムの切断方法として、手切りで切り分ける方法が一般的である。【０００３】  従来の手切り方法は、ハサミで切るか又は溝付き台に真空パックフィルムを載せ、溝にそってカッターで手切りする方法である。
【考案の開示】
【０００４】  なし
【考案が解決しようとする課題】
【０００５】  従来の手切り方法では、手切りのため切り分け寸法が合わず、また、切り口が均一でないことにより商品の歩留りが悪かった。
【０００６】  手切りのため、切り分け作業を複数回行わなくてはならず人的ロスが大きかった。
【０００７】  カッター等を直接使用するため、安全性に問題があった。
【０００８】  そこで、本考案は上記従来の有する問題を解決し、真空パックフィルム商品を安全に効率良く切り分ける切断装置を提供する。
【課題を解決するための手段】
【０００９】  上記目的を達成するために、本考案による真空パック切断装置は、個別に切り分けるカッターを格子状にテーブル下部に配置し、切り分け寸法を合わせることにした。
【００１０】  また、カッターを上下動作させるリンク機構を設計し、足踏み動作１回で切り分けを完了することを可能とした。また、上下動作機構にシリンダーを使用し足踏みすることなく切り分けることも可能としている。
【００１１】  また、格子状カッターは、真空パックフィルムをセットするテーブルの下に配置し人の作業の安全性を確保した。
【００１２】  また、上部の押さえ枠に請けられた弾性体でカッターの両側を挟み込み真空パックフィルムの浮きを押さえ切断を容易にした。
【００１３】  また、カッターを格子状に配置する際、十字に交差する部分に合わせ溝を請けることにより真空パックフィルムの切り残しをなくすことが出来た。
【考案の効果】
【００１４】  本考案によれば、真空パックフィルムの切断部両側を弾性体で押さえ切断するので確実に切り分けることが出来た。
【００１５】  また、個別に切り分けるカッターを格子状に配置することにより切り分け寸法を合わせることが出来た。
【００１６】  また、作業者が直接カッターを手にすることなく作業を行うため安全面での改善が出来た。
【図面の簡単な説明】
【００１７】
【図１】図１は本考案による真空パックフィルム切断装置の要約図である。Ａは上部押さえ枠で、格子状カッターに対応しカッターの両側を押さえ弾性体が設けられている。Ｂはテーブルで、真空パックフィルムをセットする台があり、カッター部は溝になっている。Ｃはカッター機構で、リンクを通じて足踏み部と連結され上下に動く。Ｄは足踏み部で、シリンダー等に置き換える事も可能としている。
【図２】図２は本考案による真空パックフィルムの切断時の状態を示す。Ｅの真空パックフィルム内にパックされたＦの商品の周りをＧの切断ラインで格子状にカットされる。
【図３】図３は本考案による真空パックフィルムの切断方式を示す。Ｂのテーブル上に置かれたＥの真空パックフィルムをＦの商品の間にＡの上部押さえ枠に請けられた１の弾性体でＰの押さえ力の方向で押さえ、Ｂのテーブルの溝の間に配置された２のカッターを３の上下機構でイの矢印のＨの上方向に動作し、Ｊのカッター上限位置まで押し上げ切断することが出来る。切断後３の上下機構はＩの下方向に戻る。
【図４】図４は本考案によるカッターの組み付けを示す。２のカッターは格子状に組み付けられるが、十字に交差する部分はロ及びハの切り欠きを請け合わせることにより十字交差の切り残しが無くなる。
【符号の説明】
【００１８】Ａ      上部押さえ枠
Ｂ      テーブル
Ｃ      カッター機構
Ｄ      足踏み部
Ｅ      真空パックフィルム
Ｆ      商品
Ｇ      切断ライン
Ｈ      上方向
Ｉ      下方向
Ｊ      カッター上限位置
Ｐ      押さえ力
１      弾性体
２      カッター
３      上下機構
イ      矢印
ロ      切り欠き
ハ      切り欠き
【図１】
0003126762.tif 000003
【図２】
0003126762.tif 000004
【図３】
0003126762.tif 000005
【図４】
0003126762.tif 000006
(57)【要約】【課題】本考案は、オゾンと温風を同時に出して靴内の滅菌処理と臭いの消臭分解及び乾燥を行い、靴の種類を選ばず使用でき、皺や変形しにくく、衛生的で快適な靴の管理を行なう。【解決手段】本考案は、温風とオゾンの発生体を本体とし、オゾン吐出パイプと温風吐出パイプの二重構造で構成され、先端部分は形状記憶物質で形成されている。この部分により靴の皺や変形を抑制する。【選択図】図２
0003126708.tif 000002
【実用新案登録請求の範囲】
【請求項１】
オゾンに分解消臭効果があることに着目して、靴内の滅菌処理と異臭を消臭分解する装置を提案し、同時に温風を当てることで靴内部の汗や水分を乾燥させ、更に乾燥時に靴の変形を抑制する形状記憶物質のポール付き設置台を備えた衛生的な靴内滅菌消臭乾燥器
【考案の詳細な説明】
【技術分野】
【０００１】  本考案は、靴内の臭いを分解除去する靴内滅菌消臭乾燥器に関するものである。
【背景技術】
【０００２】  長時間履いた後の靴の臭いは、靴内に人体の汗が溜まり、連続して使用されることで、更に蓄積し、バクテリアや細菌の発生で発酵したようになり、独特の異臭を発生することが多い。特に夏場にひどく、長い靴（ブーツ）では、冬場にもかかわらず同様の異臭が発生する事がある。これに雨天や雪による水分が重なると、更に強烈な異臭になる場合があった。
【考案の開示】
【考案が解決しようとする課題】
【０００３】  このため、例えば特許公開平１０−１３７００７号でオゾン脱臭器が登録されている。オゾン脱臭器は、設置スペースを考慮し、充電式の装置として靴に差し込み、短い靴をかけるように設計されている。また、特許公開２００２−１７２１５２号では、食品工場の長靴の一斉乾燥消臭を対象としたオゾン消臭器が登録されている。靴乾燥機は、実開平５−６３４６１号公報や登録実用新案公報第３０２１５２８号公報に示されるように、靴乾燥器が実用化されている。靴乾燥器は、温風の吹出口が筒状に形成され、左右の靴を片方ずつ差し込めるように構成されている。靴乾燥器は靴の中の湿気を取り除く事ができるので、乾燥させることで靴内の異臭の発生を予防することができる。また、特開平６−１８１８７８号公報に示されているように、靴乾燥器の本体内に香料組生物を霧化して発生させる芳香発生室を設けたものも知られている。この場合、靴乾燥時に靴の独特の匂いを発生させることを防ぎ、且つ靴に付いている足の臭いに対して、他の匂いでマスキングして臭いを薄める効果を付与できることが開示されている。
しかしながら、従来の充電式オゾン脱臭システムでは、長い靴等には差し込み部分が短く、機器の重量で靴の形状が変形する事がある。更に従来の靴を乾燥する目的の靴乾燥器は、靴を乾燥させる課程で靴から周囲に発生する臭いには対応できない。または、芳香の発生によって異臭をマスキングするものであり、乾燥時に発生する悪臭そのものを消臭する事はできない。更にいずれの機械も乾燥時の靴の変形や機器の設置方法により利用できる靴の種類に限界があった。そして、多くの靴を一斉に設置して消臭乾燥することはよいが、反面、設置する靴が無い部分からはオゾンガスが空中に放散される。オゾンが消臭するべき気体や汗等の液体と接触できない場合は、人を含む周囲に対してオゾンガスの悪影響が考えられる。
【課題を解決するための手段】
【０００４】  靴の種類を選ばないように、靴を上部からかぶせるように設置できる筒状のポールを用意する。この筒状のポールの先端部は人の標準的な足の形をしており、消臭乾燥時に靴が変形する事を予防し、使用後には使用前の形状記憶機能をもたせた物質で形成される。
【考案の効果】
【０００５】  上述の様に、本考案の靴内滅菌消臭乾燥器は、湿った靴を乾燥させ、その乾燥課程で発生する臭いをオゾンで消臭し、靴の形や皺になりにくい構造になっており、一組ずつ処理できるため、臭いの発生や無駄なオゾンの発生もコントロールできる安全な靴内滅菌消臭乾燥器といえる。
【考案を実施するための最良の形態】
【０００６】  オゾン発生装置と温風送風機部分を内蔵した本体とオゾン専用の吐出パイプと温風吐出パイプの二重構造になっており、パイプの先端部分は、足の標準的な形状に合わせた金属（針金状の形状記憶物質）で、乾燥時に靴が変形する事を予防する機能を持たせていることを特徴とする靴内滅菌消臭乾燥器であり、一組ずつ処理することができ、ポールは着脱式で長さが２種類選択できることで、靴の種類は革靴から長靴及びブーツまで対応できる構造とする。
【実施例】
【０００７】  以下、添付図面に従って一実施例を説明する。１はステンレスで形成された温風及びオゾン発生装置の本体部分、２はタイマースイッチ、３は空気取り入れ部フィルター、４はオゾンの送出しパイプで５０ｃｍの長さとする。５は温風の送出しパイプとする。【０００８】    ６は先端（ヘッド）の形状記憶物質（合金）で人の足の形に形成し、靴の変形の抑制と上からかぶせることで靴自体の自重で皺になることを抑制する。９はパイプの長さを２段階に調節するための着脱可能パイプとする。
【図面の簡単な説明】
【０００９】
【図１】本考案の靴内滅菌消臭乾燥器の一実施例を示す正面図である。
【図２】本靴内滅菌消臭乾燥器の一部切欠断面図である。
【図３】本靴内滅菌消臭乾燥器の上面図である。
【符号の説明】
【００１０】１  靴内滅菌消臭乾燥器本体
２  タイマースイッチ
３  空気取り入れ部フィルター
４  オゾン送出しパイプ
５  温風送出しパイプ
６  形状記憶物質によるヘッド部分
７  オゾン発生装置
８  温風発生装置
９  長さ調整の着脱式パイプ
【図１】
0003126708.tif 000003
【図２】
0003126708.tif 000004
【図３】
0003126708.tif 000005
【手続補正書】
【提出日】平成18年8月8日(2006.8.8)
【手続補正１】
【補正対象書類名】実用新案登録請求の範囲
【補正対象項目名】全文
【補正方法】変更
【補正の内容】
【実用新案登録請求の範囲】
【請求項１】
本体と、前記本体内に設けられたオゾン発生装置と、前記本体内に設けられた温風発生装置と、前記オゾン発生装置によって発生したオゾンを吐出するオゾン吐出パイプと、前記オゾン吐出パイプを収容し、前記温風発生装置によって発生した温風を前記オゾンとともに吐出する温風吐出パイプと前記温風吐出パイプの先端に着脱され、靴を保持して前記靴にオゾン及び温風を当てるヘッドとを有することを特徴とする靴内滅菌消臭乾燥器。
(57)【要約】【課題】    本考案は、寒い日の睡眠中に顔や鼻が冷えず、虫やハウスダスト、花粉も気にせず、健康的な睡眠がとれるものである。【解決手段】  本考案は、簡単な組み立て式のもので、レース状のベール（カーテン）が睡眠中の頭部を覆う事により、温暖で、虫やハウスダスト、花粉を気にせず、快適な睡眠をとる事ができるようになる。【選択図】図１
0003126709.tif 000002
【実用新案登録請求の範囲】
【請求項１】
冬の睡眠時に顔や鼻が冷えないよう胸より頭部までを覆う開閉式のカーテンであり、布団にもぐったり、マスクを着用した際の息苦しさからも解放され、熟睡できる。また、春先は花粉の防御、夏は蚊から身を守れるナイト．ベール（カーテン）。
【考案の詳細な説明】
【技術分野】
【０００１】  本考案は、睡眠中に胸部から頭部をすっぽりテントの様に覆うレース状のカーテンに関するものである。
【背景技術】
【０００２】    寒い日の就寝時、布団から出ている首より上部、特に鼻が冷たくなっていた。それを凌ぐため布団に潜ったりマスクをして寝ていたので息苦しかった。また、季節によって花粉や蚊に睡眠を邪魔されていた。
【考案の開示】
【考案が解決しようとする課題】
【０００３】  睡眠中に胸部から頭部をカーテンで覆う事により前述の問題点を解決しようとするものである。
【課題を解決するための手段】
【０００４】  本考案は、現在使用中の布団に簡単にセットでき、カーテンと頭部の間は空間になっているので、寝返りをうっても、なんらさしさわりがなく、寝ている間にカーテンが開く事もなく、吐く息により暖められた空気がその空間に留まり、また、夏場は薄手の生地を使用し、安心して快適な睡眠がとれる事により、問題点を解決している。
【考案の効果】
【０００５】  上述の様に、本考案のナイト  ベール（カーテン）は容易にセットでき、虫や埃も寄せ付けず、頭部が冷たくないので、健康的な睡眠が約束される。
【考案の実施するため最良の形態】
【０００６】  プラスティックの切目入りリングを塩ビ製（軽量ならばスチール製でも可）のパイプ、三本共に通し本体に固定、、本体の足部を敷布団の下にセットし、カーテン部を取り付ける。
【実施例】
【０００７】  以下、添付図面に従って一実施例を説明する。６の穴部分に２のリングを通し、４の足部板を敷布団の下にさしいれるだけでセット完了、ベール下の中心に枕を置く。【０００８】  ベールは頭部板に向かい開くので、就寝時、ベールを開き、枕に頭をのせたらベールを閉じて寝るだけである。ベールのフリル部分が隙間をつくらず、温暖で虫やハウスダスト、花粉を気にせず睡眠がとれる。【０００９】  本考案の一実施は上述の如き構成からなるものであるから、温暖で虫やハウスダスト、花粉を気にせず睡眠がとれ、常に便利である。
【図面の簡単な説明】
【００１０】
【図１】本考案の本体、立体図
【図２】本考案のベール部、立体図
【図３】本考案の実施時、立体図
【符号の説明】
【００１１】１塩ビ製のパイプ、左右、上部に計３本
２プラスチックの切目入りリング、１のそれぞれに適当数
３補強金具
４本体足部板、左右に２枚
５本体頭部板
６レース素材のベール（カーテン）部
７フリル部分
【図１】
0003126709.tif 000003
【図２】
0003126709.tif 000004
【図３】
0003126709.tif 000005
【手続補正書】
【提出日】平成18年7月28日(2006.7.28)
【手続補正１】
【補正対象書類名】実用新案登録請求の範囲
【補正対象項目名】請求項１
【補正方法】変更
【補正の内容】
【請求項１】
ボード板に、足部板２本、パイプ管のレールを３本を設け、そのレールに着けたテント状の５面体のレース地のカーテンで、睡眠中に頭部より胸までを覆い、開閉式であるとともに、容易に設置できるところを特徴とする立体型カーテン。
(57)【要約】【課題】  電話番号を調べたい場合、氏名欄を選び出し、同一列に記載されている電話番号を見るものであるが、高齢者や視力低下した人達は上下の欄や隣の欄の番号と混同する等、誤読する事が多かった。【解決手段】  氏名・電話番号・住所が中心から放射状に記入欄が設けてある回転盤と、１箇所の電話番号欄だけを見ることが出来る窓を取り付けた表紙を、中心点において回転可能状態で取り付けたものである。氏名欄を電話番号欄と同一線上に設定すると、他の電話番号を見る事無く知りたい番号のみを見る事が出来る事を特徴する電話番号帳。【選択図】図１
0003126702.tif 000002
【実用新案登録請求の範囲】
【請求項１】
氏名・電話番号が中心から放射状に区画された記入欄として設けてある回転盤と、１箇所の電話番号欄だけを見ることの出来る電話番号覗き窓を設けた表紙が、中心点において回転可能状態で固定取り付けてある。氏名欄と電話番号覗き窓を同一線上に設定すると、他の電話番号を見る事無く、知りたい番号のみを電話番号覗き窓より見られる事を特徴する電話帳。
【考案の詳細な説明】
【考案の詳細な説明】
【技術分野】
【０００１】本考案は高齢者や弱視者が電話番号を見やすいようにしたもので、知りたい電話番号を隣の列の番号と混同する等、誤読しない様に考案したものである。
【背景技術】
【０００２】  現在、市場に出回っている電話帳は形状の違いはあるが、氏名・電話番号・住所をセットの表にして記載するものが主流である。
【考案が解決しようとする課題】
【０００３】  そこで本願考案者は、上記課題を解決する為に、次に述べるような構造を考案した。通常、電話番号を調べたい場合、氏名欄を選び出し、同一列に記載されている電話番号を見るものであるが、高齢者や視力低下した人達は上下の欄や左右の欄の番号と混同する等、誤読する事が多かった。
【課題を解決する為の手段】
【０００４】そこで、本考案は氏名欄を検索すると１箇所の電話番号欄だけを見ることが出来る電話帳の開発に関する物である。
【考案の実施例】
【０００５】  考案の実施の形態を実施例にもとづき図面を参照して説明する。
考案の内容として、必要な電話番号を見る場合、上下又は前後の電話番号を混同するなど、誤読する場合が多く、高齢者や視力が低下した障害者から見やすい電話番号帳の商品化が希望されている。外観１は使用目的により変化するものであるが、基本的には氏名・電話番号・住所等を記載した回転台紙２と電話番号記入欄６を読み取る事が出来る電話番号覗き窓８を設けた表紙３からなる構造を示す。また、裏側も同様な構造を設けることが出来る。氏名・電話番号・住所等が中心４から放射状に、記入欄が設けてある回転台紙２と、一ヶ所の電話番号記入欄６だけを見ることが出来る電話番号覗き窓８を取り付けた電話帳表紙３を、中心点４，４ａ、４ｂにおいて回転可能状態で固定取り付けたものである。氏名記入欄５と電話番号覗き窓８を同一線上に設定すると、他の電話番号を見る事無く知りたい番号のみを見る事が出来る事を特徴とする。
【考案の効果】
【０００６】  本考案の電話番号帳は氏名記入欄５と電話番号覗き窓８を同一線上に設定すると、他の電話番号を見る事無く知りたい番号のみを見る事が出来る。必要な電話番号を見る場合、上下又は前後の電話番号を混同するなど、誤読する場合が多く、本考案により、高齢者や視力が低下した障害者でも利用価値が高い。
【図面の簡単な説明】
【図１】  電話番号帳の外観図である。
【図２】  氏名・電話番号を記入する回転台紙図である。
【図３】  電話番号覗き窓を加工した表紙図である。  １  全景  ２  回転台紙  ３  電話帳表紙  ４  中心固定点  ４ａ  中心固定点  ４ｂ  中心固定点  ５  氏名記入欄  ６  電話番号記入欄  ７  取付け穴  ８  電話番号覗き窓
【図１】
0003126702.tif 000003
【図２】
0003126702.tif 000004
【図３】
0003126702.tif 000005
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
氏名・電話番号が中心から放射状に区画された記入欄として設けてある回転盤と、１箇所の電話番号欄だけを見ることの出来る電話番号覗き窓を設けた表紙を中心点において回転可能状態で固定し、氏名欄と電話番号覗き窓を同一線上に設定すると、他の電話番号を見る事無く、知りたい番号のみを電話番号覗き窓より見られる事を特徴する電話帳。
(57)【要約】【課題】樹脂製品や木工製品等スリップレスナットの材質より硬度が低い材質などを組立てたりする時に、ナットが、空回りせず、ボルト等と確実に固定される。【解決手段】ナットにツメ加工を付け加え、ナットとボルトが固定される【選択図】図１
0003126704.tif 000002
【実用新案登録請求の範囲】
【請求項１】
（１）従来のナットは、小ねじやボルトで締めた時、ナットが空回りし、ねじの締付けが十分に出来ないなどの不具合を生じることが、多々ある。そのような不具合を防止する為、ナット本体の先端面部位に、六角や四角等の多角の角部分を利用し、回転方向に鋭角状のツメが残る様、加工することにより、加工した部分の角部のツメが相手の部品に食い込みナットと小ねじやボルト等の締付けを確実にする工夫を考案した。
【考案の詳細な説明】
【技術分野】
【０００１】  ナットにツメを付ける
【背景技術】
【０００２】  ナットが空回りするのを防ぐ
【考案の開示】
【考案が解決しようとする課題】
【０００３】  ナットの面にツメ状の加工をすることによって、ナットの空回りを防ぐ。
【考案の効果】
【０００４】  ナットの空回りを防ぐ事によってナットとボルトの固定が確実になる。
【考案を実施するための最良の形態】
【０００５】  ナットにツメ状の加工をする。
【実施例】
【０００６】  樹脂製品又は木製品などの組立てなどに使用する。
【産業上の利用可能性】
【０００７】  樹脂製品又は木工製品等スリップレスの材質より硬度が低い材質の組立てなど色々な分野での使用が可能な為、利用範囲は、無限にある。
【図面の簡単な説明】
【０００８】  スリップレスの形状図面
【図１】ツメ加工部分の正面図である。
【図２】ツメ加工部分を横から見た図である。
【符号の説明】
【０００９】  ▲１▼  正面から見たツメ加工部分
▲２▼  ネジ部
▲３▼  横から見たツメ加工部分
【図１】
0003126704.tif 000003
【図２】
0003126704.tif 000004
【手続補正書】
【提出日】平成18年6月2日(2006.6.2)
【手続補正１】
【補正対象書類名】実用新案登録請求の範囲
【補正対象項目名】全文
【補正方法】変更
【補正の内容】
【実用新案登録請求の範囲】
【請求項１】
ナット本体の六角や四角等の多角の角部分を利用し、先端面部位の回転方向に鋭角状のツメが残る様に加工することにより、加工した部分の角部のツメが相手の部品に食い込みナットと小ねじやボルト等の締付けを確実にするスリップレスナット
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
六角や四角等のナット本体の多角の角部分の先端面部位に鋭角状のツメを形成したことを特徴とする、スリップレスナット。